(57)【要約】【課題】安定性を保ちつつ多段に積み重ねることができ、運搬効率が良く、収納物の取り出しが簡便な容器を提供する。【解決手段】容器１のケーシング２の両端壁５、５に、鉤型形状のロック片３、３を回動可能に取着し、さらにそのロック片３の上方に、ロック片３を案内するための案内口８ｃが穿設された把手８を設ける。容器１を多段に積み重ねた際には、前記ロック片３を回転させて下方の容器１に設けられる案内口８ｃの内方に案内し、その係止部３ｂに設けられる段下がり部３ｅ’と把手８の裏面に取り付けられる係止突起８ｇとを係合させる。こうして、上下の容器１、１間を確実に連結する。また、単独での使用時、あるいは最下段に積み重ねられた容器１においては、ロック片３を強磁性板５ｃに吸着した非係止位置で保持する。【選択図】　　　　　　図７
2004042955.tif 000002
【特許請求の範囲】
【請求項１】
多段に積み重ね可能な容器本体と、この容器本体の両端壁に配されて上下の各容器本体間を固定するロック手段を備える容器であって、
前記ロック手段は、前記容器本体の両端壁に回動可能に取着されるロック片と、当該容器の下方に積み重ねられる容器に設けられて前記ロック片を係止する係止部とよりなり、この係止部は、前記容器本体の端壁に一体に設けられる把手に形成されていることを特徴とする容器。
【請求項２】
前記ロック片の先端部には鉤部が形成され、前記把手には上方に積み重ねられる容器に設けられるロック片の鉤部をその把手の内方へ案内するための開口が形成され、前記把手の内面には、前記ロック片の鉤部先端に形成される段部を係止する突起部が設けられる請求項１に記載の容器。
【請求項３】
前記ロック片および端壁のうち、いずれか一方には磁石が設けられ、他方には強磁性体が設けられ、前記磁石が強磁性体に吸着されることにより前記ロック片が非係止位置に保持される請求項１または２に記載の容器。
【発明の詳細な説明】
【０００１】
本発明は、遊戯店で使用される景品のような板状物品を収納して運搬する容器に関するものである。
【発明の属する技術分野】
【０００２】
【従来の技術】
従来、遊戯店で使用される景品のような板状物品を収納して運搬するために、上下に多段に積み上げ可能にされた容器が提供されている。
【０００３】
この種の積み重ね式の容器としては、例えば、上部開口部と底部とを略同形同サイズに形成して、下方側の容器の上部開口部で上方側の容器の底部を支持するとともに、底部外壁側に設けられる突出片によって、多段に積み上げられた際の横滑りを防止するように構成されたものや、あるいは、容器本体を上方に向けて広がるテーパ状に形成し、下方側の容器の上部開口部に上方側の容器の底部を嵌合して支持するように構成されたもの等がある。
【０００４】
【発明が解決しようとする課題】
しかしながら、前記従来の積み重ね式の容器においては、多段に積み重ねれば積み重ねるほど、上方側に積み重ねされる容器が不安定になり、荷崩れの要因になるという問題点がある。また、容器を積み重ねて運搬する際には、荷崩れを防ぐためにも、慎重に行わざるを得ないため極めて効率が悪い。これらの問題点を解決するために、多段に積み重ねられた容器全体をベルト等で縛って運搬するという方法が採用されているが、この方法を採った場合、各容器の安定性を良好に保つことはできるものの、複数個の容器をベルトで纏める作業と運搬後にベルトを取り外す作業に手間がかかるため、運搬効率を向上させることができない。
【０００５】
本発明は、このような問題点を解決するためになされたものであり、多段に積み重ねられた場合であっても各容器の安定性を良好に保って運搬効率を向上させることができるとともに、運搬後においても各容器に容易に分離することのできる容器を提供することを目的とするものである。
【０００６】
【課題を解決するための手段および作用・効果】
前記目的を達成するために、本発明による容器は、
多段に積み重ね可能な容器本体と、この容器本体の両端壁に配されて上下の各容器本体間を固定するロック手段を備える容器であって、
前記ロック手段は、前記容器本体の両端壁に回動可能に取着されるロック片と、当該容器の下方に積み重ねられる容器に設けられて前記ロック片を係止する係止部とよりなり、この係止部は、前記容器本体の端壁に一体に設けられる把手に形成されていることを特徴とするものである。
【０００７】
本発明によれば、容器本体の両端壁に回動可能に取着されるロック片と、当該容器の下方に積み重ねられる容器本体の端壁に設けられる把手に形成された係止部とを互いに係止させることによって、上方側の容器と下方側の容器とが容易に固定される。このため、複数個の容器を多段に積み重ねた場合であっても、それら容器の安定性を良好に保つことができる。また、任意の段の容器、またはその容器の把手を把持した状態で、積み重ねられた全ての容器を持ち運ぶことができるため、安定した体勢で運搬作業を行うことができるとともに、車両に積載して運搬する際にも荷崩れを起すことがない。そのため、運搬効率が極めて高い。さらに、各容器の固定状態は、ロック片を下方の容器の係止部から取り外すことで簡単に解除することができるので、運搬後においても個別の容器に容易に分離することができる。
【０００８】
前記ロック片の先端部には鉤部が形成され、前記把手には上方に積み重ねられる容器に設けられるロック片の鉤部をその把手の内方へ案内するための開口が形成され、前記把手の内面には、前記ロック片の鉤部先端に形成される段部を係止する突起部が設けられるのが好ましい。こうすることで、多段に積み重ねられた容器の連結および連結解除を簡単かつ迅速に行うことができる。
【０００９】
前記ロック片および端壁のうち、いずれか一方には磁石が設けられ、他方には強磁性体が設けられ、前記磁石が強磁性体に吸着されることにより前記ロック片が非係止位置に保持されるが好ましい。こうすることで、前記ロック片を非係止位置に容易に保持することができるので、各容器を単独で使用する場合や、積み重ね時であっても最下段に位置する容器のロック片が下方に垂れて運搬作業などの妨げになるのを防止することができる。
【００１０】
【発明の実施の形態】
次に、本発明による容器の具体的な実施の形態について図面を参照しつつ説明する。
【００１１】
図１には、本実施形態に係る容器の分解斜視図が、図２には、図１のＡ−Ａ視断面図（端面図）が、図３には、図１のＢ−Ｂ視断面図が、図４には本実施形態に係る把手部の平面図が、図５には、積み重ね状態で示す容器の正面図が、図６には、積み重ね状態で示す容器の斜視図が、図７には、互いに連結された状態で示す容器の斜視図がそれぞれ示されている。
【００１２】
図１に示されるように、本実施形態に係る容器１は上部に開口を有するケーシング（容器本体）２と、このケーシング２に回動可能に取着され、下方に積み重ねられる容器１を固定して上下の各容器１、１間を連結する鉤型形状のロック片３、３を備えて構成されている。また、本実施形態においては、生産性の向上、および内部の収納物の目視確認を容易にするために、透明な合成樹脂によって一体成形されたケーシング２が使用されている。
【００１３】
前記ケーシング２は、図１に示されるように、底壁４と、その底壁４の互いに対向する一対の端辺４ａ、４ａから立設される端壁５、５と、前記底壁４の互いに対向する一対の側辺４ｂ、４ｂから立設され、その両端部の高さが、前記各端壁５、５の高さと等しくされるとともに、その上部中央部に幅広状の切欠部が形成された側壁６、６を有している。また、前記ケーシング２は、その端壁５、５、および側壁６、６が上方に向かって広がるテーパ状に形成されており、上方に積み重ねられる同形同大の容器１の下部を、下方の容器１の上部開口部で支持することで、多段に積み重ねることができるように構成されている。
【００１４】
前記ケーシング２の内部には、このケーシング２の内部空間を仕切るための仕切り壁７が、前記側壁６、６に対して平行になるように、一方の端壁５から他方の端壁５に渡って設けられている。また、この仕切り壁７は前記底部２から立設される一対の板状の壁部７’、７’と、これら壁部７’、７’の上端部間に設けられる板状の天板部７”によって構成されている（図２参照）。
【００１５】
前記仕切り壁７の両端部上部は、厚肉に形成されて肉厚部７ａとされ、各肉厚部７ａ、７ａが前記端壁５、５の略中央部内面に一体に形成されている。また、前記仕切り壁７の壁部７’、７’は端壁５、５まで延設されており、これによって端壁５、５の中央下部に切欠部５ａが形成されている。
【００１６】
前記肉厚部７ａには、この肉厚部７ａを貫通するように、前記ロック片３を回動可能に支持するための孔５ｂが仕切り壁７に沿って穿設されている。この孔５ｂは、図３に示されるように、前記ロック片３の回動軸３ｃを回動可能に支持する役目をする。また、前記端壁５の上端部中央には、上方に積み重ねられた容器１に取着されるロック片３の係止機構を兼ねる把手８が設けられている。
【００１７】
一方、前記ケーシング２の上部開口部の四隅の内側には、段下がり部１０、１０、１０、１０が形成されている。これら段下がり部１０、１０、１０、１０は、ケーシング２の下端部四隅から下方に向けて突設される突出片１１、１１、１１、１１の形状に合わせて形成されており、上下の容器１、１、１…を積み重ねた際に、上方側の容器１の下端部の突出片１１、１１、１１、１１を、前記各段下がり部１０、１０、１０、１０で嵌合支持するように構成されている。こうして、多段に積み重ねられる容器１の横滑りが防止されている。
【００１８】
次に、各容器１、１、１…の端壁５、５の上端部中央にそれぞれ設けられる把手８と、この把手８内部に案内されて係止されるロック片３について説明する。なお、本実施形態においては、両端壁５、５双方に一対のロック片３、把手８が設けられているが、双方のロック片３および把手８の構成は全く同一のものであるため、主に図１で左側の端壁５に設けられたロック片３、把手８の構成のみ説明し、他方の端壁５に設けられたロック片３、把手８の構成を省略する。
【００１９】
前記端壁５、５の上部中央部に設けられる把手８は、端壁５の上端部中央から容器１の外方に向けて水平に設けられる略長方形形状の天板８ａを備えており、この天板８ａの三辺（前記端壁５の上端部に対向する長辺、および互いに対向する一対の短辺）からは、その天板８ａに一体に鉛直板８ｂが下方に向けて設けられている。また、前記天板８ａには、前記ロック片３を把手８の内部に案内するための案内口８ｃが、天板８ａの中心部付近から天板８ａの一端側に渡って穿設されている。
【００２０】
この案内口８ｃは、図４に示されるように、右端部側に形成され、前記ロック片３より幅広にされる一定幅の幅広部８ｄと、左端部側に形成され前記ロック片３よりやや幅広に、かつ前記幅広部８ｄよりも幅狭に形成される一定幅の幅狭部８ｅと、これら幅広部８ｄと幅狭部間８ｅとの間に形成される傾斜部８ｆによって構成されている。また、前記天板８ａの裏面側で、案内口８ｃの最左端より所定距離隔てた箇所には直線状の係止突起８ｇが把手８の幅方向に設けられている。
【００２１】
一方、前記案内口８ｃ内に案内されるロック片３は、図１および図５に示されるように、全体として鉤形形状で、アーム３ａと、このアーム３ａの先端部に設けられる半円形状の係止部３ｂと、前記アーム３ａの基端部裏面側に垂設され、前記端壁５に穿設される孔５ｂに挿入されてその端壁５に回動可能に支持される回動軸３ｃによって構成されている。
【００２２】
前記半円形状の係止部３ｂは、円弧面３ｄと、その円弧面３ｄの終端部３ｄ’と前記アーム３ａの側面３ａ’との間に連設される平坦面３ｅを備え、この平坦面３ｅが途中に段下がり部３ｅ’を有する段付き形状に形成されている。
【００２３】
前記ロック片３の回転軸（裏面に前記回動軸３ｃが取り付けられる箇所）から、平坦面３ｅの上段部３ｅ”の表面まで降ろした垂線の長さｒは、前記孔５ｂの底壁２下面からの高さｈと、天板８ａの厚みｄとの和（ｈ＋ｄ）に略等しくなるようにされており、前記ロック片３を回動して前記案内口８ｃの内方に案内した際に、平坦面３ｅの上段部３ｅ”が、前記把手８の天板８ａの裏面に近接するように構成されている。また、前記係止部３ｂの段下がり部３ｅ’は、前記ロック片３を案内口８ｃの内方に案内した際、天板８ａの裏面に設けられる係止突起８ｇに係合されるように構成されている（図５参照）。
【００２４】
なお、前記ロック片３のアーム３ａには、複数個（本実施形態では三個）の磁石３ｇ、３ｇ、３ｇが等ピッチで埋設されており、これに対して、前記端壁５上の孔５ｂの一側には、円盤状の強磁性板５ｃが取り付けられている。そして、ロック片３を用いない場合には、ロック片３の磁石３ｇを強磁性板５に吸着させ、そのロック片３を非係止位置（図５の鎖線位置）に保持するようにされている。
【００２５】
このように構成される容器１を個別に使用する際には、前記ロック片３の磁石８ｇを前記強磁性板５ｃに吸着させ、そのロック片３を非係止位置に固定する。こうすることで、ロック片３が下方に垂れ下がることを防止し、運搬作業あるいは設置作業の邪魔にならないようにすることができる。
【００２６】
前記容器１を二段以上に積み重ねて使用する場合には、先ず、各容器１、１…の内部に板状の収納物２０、２０…を収納し、次いで、容器１の段下がり部１０、１０、１０、１０の内部に、同形同型の容器１の下端部に設けられる突出片１１、１１、１１、１１を嵌め込むようにして、下段側の容器１の上部開口部で上方側の容器１を支持するとともに、上方の容器１の横滑りが生じないようにする（図６参照）。この作業を数回繰り返し行い、前記容器１、１、１…を任意の段数積み重ねるようにする。
【００２７】
この後、両端壁５、５に設けられる各ロック片３を時計回りに回動させ、そのロック片３を、下方側の容器１の案内口８ｃの左端部（幅狭部８ｅの左端部）まで案内し、ロック片３の係止部３ｂに設けられる段下がり部３ｅ’と、前記天板８ａの裏面に設けられる係止突起８ｇとを係合させる（図５参照）。以下同様の作業を各容器１、１、１…（但し、最下段の容器１は除く。）で繰り返し、複数個の容器１、１、１…を連結する（図７参照）。この連結状態で運搬作業がなされる。
【００２８】
なお、最下段の容器１においては、ロック片３を非係止位置に保持し、そのロック片３の先端部が下方に垂れ下がらないようにする。
【００２９】
各容器１の連結状態を解除するには、前記ロック片３を解除方向に回動する。こうすることで、簡単に前記ロック片３の係止部３ｂに設けられる段下がり部３ｅ’と、把手８の天板８ａの裏面に設けられる係止突起８ｇとの係止状態を解除して、連結された容器１、１、１…を個別の容器１に分離することができる。
【００３０】
本実施形態においては、前記ロック片３によって、複数個の容器１、１、１…を連結するように構成されているため、容器１、１、１…を多段に積み重ねた際の安定性を良好に保つことができる。また、任意の段の容器１、またはその容器１の把手８を把持した状態で、積み重ねられた全ての容器１、１、１…を持ち運べることができるため、安定した体勢で運搬作業を行うことができ、車両に積載して運搬する際にも荷崩れを起すことがない。そのため、極めて効率良く運搬作業を行うことができる。また、ロック片３を把手８から取り外すことで、連結された容器１、１、１…を個別の容器１に分離することができるので、各容器１内部に収納された収納物２０を容易に取り出すことができる。さらに、単独での使用時、または最下段に配置された場合には、ロック片３を強磁性板５ｃに吸着させて非係止位置に保持し、そのロック片３が邪魔にならないようにすることができる。また、本実施形態に係る容器１は、透明な合成樹脂で一体形成されたものであるため、生産性が高く、かつ内部の目視確認が容易であるという長所がある。
【００３１】
なお、本実施形態における容器１においては、透明な合成樹脂によって一体成型されたケーシング２が使用されているが、不透明な合成樹脂で成型されたケーシングであっても、あるいは合成樹脂以外の材質によって形成されたケーシングであっても、本実施形態と同様の効果を得ることができる。
【００３２】
本実施形態においては、鉤型形状のロック片３に埋設される磁石３ｇ、３ｇ、３ｇと、ケーシング２の両端壁５、５に取り付けられる強磁性板５ｃによって、ロック片３を端壁５に吸着し、非係止位置に保持できるように構成されているが、そのロック片３に強磁性体を埋設し、端壁５に磁石を取り付けるようにしても良い。
【図面の簡単な説明】
【図１】図１は、本実施形態に係る容器１の分解斜視図である。
【図２】図２は、図１のＡ−Ａ視断面図（端面図）である。
【図３】図３は、図１のＢ−Ｂ視断面図である。
【図４】図４は、本実施形態に係る把手部の平面図である。
【図５】図５は、積み重ね状態で示す容器１の正面図である。
【図６】図６は、積み重ね状態で示す容器１の斜視図である。
【図７】図７は、互いに連結された状態で示す容器１の斜視図である。
【符号の説明】
１　　　　　　　　　　　　容器
２　　　　　　　　　　　　ケーシング
３　　　　　　　　　　　　ロック片
３ｂ　　　　　　　　　　　係止部
３ｃ　　　　　　　　　　　回動軸
３ｅ　　　　　　　　　　　平坦面
３ｅ’　　　　　　　　　　段下がり部
３ｇ　　　　　　　　　　　磁石
５　　　　　　　　　　　　端壁
５ｃ　　　　　　　　　　　強磁性板
８　　　　　　　　　　　　把手
８ｂ　　　　　　　　　　　案内口
８ｇ　　　　　　　　　　　係止突起
【図１】
2004042955.tif 000003
【図２】
2004042955.tif 000004
【図３】
2004042955.tif 000005
【図４】
2004042955.tif 000006
【図５】
2004042955.tif 000007
【図６】
2004042955.tif 000008
【図７】
2004042955.tif 000009